(57)【要約】【課題】第１の機器が第２の機器を介してファクシミリ送信を行う際、必ずしもユーザが特定する番号が通知されるとは限らない。【解決手段】ユーザが特定するクライアント機器を使用して送信するという運用を実行するため、原稿を読み取る第１機器と、第１機器と連携してファックスを送信する第２機器とを備え、第１機器は第１機器の発信者番号を取得する手段と、原稿を読み取り画像データを生成する読み取り手段と、取得した発信者番号を含む送信設定通知および生成された画像データを第２機器へ送信する送信手段とを備え、第２機器は第１機器の送信設定通知および画像データを受信する受信手段と、送信設定通知に含まれる発信者番号とともに画像データを送信する送信手段とを備える。【選択図】図５
2010219957.tif 000002
【特許請求の範囲】
【請求項１】
互いにネットワークを介して接続され、ユーザがファクシミリ送信依頼を行うための第１機器と、前記ファクシミリ送信依頼を受け、送信先へのファクシミリ送信を実行する第２機器とを有するファクシミリシステムであって、
前記第１機器により前記ファクシミリ送信依頼を行うユーザに基づき発信者番号を決定する決定手段と、
前記第２機器が、前記ファクシミリ送信依頼に基づき送信先へのファクシミリ送信を実行する際、前記決定手段で決定した発信者番号を当該送信先に通知する通知手段とを有することを特徴とするファクシミリシステム。
【請求項２】
さらに、前記ユーザを認証する認証手段を有し、前記決定手段は、前記認証手段で認証されたユーザに対応する発信者番号を決定することを特徴とする請求項１に記載のファクシミリシステム。
【請求項３】
前記決定手段は、前記第１機器におけるユーザの選択操作に応じて発信者番号を決定することを特徴とする請求項１に記載のファクシミリシステム。
【請求項４】
前記通知手段は、前記決定手段で決定した発信者番号及び前記第２機器に割り当てられた発信者番号を送信先に通知することを特徴とする請求項１乃至３のいずれか１項に記載のファクシミリシステム。
【請求項５】
前記通知手段は、前記決定手段で決定した発信者番号を、ファクシミリ通信の手順信号にセットして送信先に通知することを特徴とする請求項１乃至４のいずれか１項に記載のファクシミリシステム。
【請求項６】
互いにネットワークを介して接続され、ユーザがファクシミリ送信依頼を行うための第１機器と、前記ファクシミリ送信依頼を受け、送信先へのファクシミリ送信を実行する第２機器とを有するファクシミリシステムの制御方法であって、
前記第１機器により前記ファクシミリ送信依頼を行うユーザに基づき発信者番号を決定し、
前記第２機器が、前記ファクシミリ送信依頼に基づき送信先へのファクシミリ送信を実行する際、前記決定した発信者番号を当該送信先に通知することを特徴とするファクシミリシステムの制御方法。
【発明の詳細な説明】
【技術分野】
【０００１】
本発明は、互いにネットワークを介して接続され、ユーザがファクシミリ送信依頼を行うための第１機器と、前記ファクシミリ送信依頼を受け、送信先へのファクシミリ送信を実行する第２機器とを有するファクシミリシステムに関する。
【背景技術】
【０００２】
近年、デジタル化およびネットワーク化の進展に伴い、ネットワーク接続された複数の画像処理装置を用いて、ある機器で読み取った画像を別の機器に送信し処理させることが行われている。例えば、手元の機器で原稿を読み取らせ、別の機器が画像処理および送信を行う場合などである。
【０００３】
このようなシステムの中には、ファクス機能を持たない機器から送信された画像を、ファクス機能を持つ機器（サーバ）で送受信するファクシミリシステムがある。この場合、発信者番号通知サービスや、ファクシミリの手順信号で通知されるファクシミリ番号は、サーバに設定されたものが使用される。
【０００４】
しかし、ファックス送信時にサーバのファクシミリ番号しか通知しないシステムにおいては、送信先では真の送信者を特定できないので、見知らぬ番号からの着信として、着信が拒否される場合もあり得る。
【０００５】
この課題を解決するために、クライアント機器に電話番号が割り当てられ、サーバからファックス送信する際、クライアント機器に割り当てられた電話番号を発信者番号として通知するシステムが特許文献１により提案されている。これは、クライアント機器と、それに割り当てた電話番号の対応情報をサーバに持ち、サーバからファックス送信する際、クライアント機器に割り当てられた電話番号を発信者番号として通知するものである。
【先行技術文献】
【特許文献】
【０００６】
【特許文献１】特開２００５−２４４７９３号公報
【発明の概要】
【発明が解決しようとする課題】
【０００７】
上述の従来技術は、サーバからファックス送信を行う際、サーバの回線情報ではなくクライアントに割り当てた番号を通知している。しかしながら、通知する番号はあくまでクライアント機器に割り当てられた番号であり、ユーザやユーザグループに割り当てられた番号ではない。
【０００８】
このため、ユーザが必ず決められたクライアント機器を使用して送信する必要があり、利便性の点で問題がある。即ち、ユーザが異なるクライアント機器を使用してファクシミリ送信を依頼した場合、異なる番号が送信先に通知されてしまう。
本発明は、このような課題を解決するため、第１の機器からのファクシミリ送信依頼により第２の機器を介してファクシミリ送信を行う際、依頼するユーザに応じた発信者番号を通知することが可能なファクシミリシステムを提供することを目的とする。
【課題を解決するための手段】
【０００９】
上述した課題を解決するため、本発明におけるファクシミリシステムは、互いにネットワークを介して接続され、ユーザがファクシミリ送信依頼を行うための第１機器と、前記ファクシミリ送信依頼を受け、送信先へのファクシミリ送信を実行する第２機器とを有するファクシミリシステムであって、前記第１機器により前記ファクシミリ送信依頼を行うユーザに基づき発信者番号を決定する決定手段と、前記第２機器が、前記ファクシミリ送信依頼に基づき送信先へのファクシミリ送信を実行する際、前記決定手段で決定した発信者番号を当該送信先に通知する通知手段とを有する。
【発明の効果】
【００１０】
本発明により、第１の機器からのファクシミリ送信依頼により第２の機器を介してファクシミリ送信を行う際、依頼するユーザに応じた発信者番号を通知することができる。
【図面の簡単な説明】
【００１１】
【図１】本発明の画像処理装置を適用したデジタル複合機（複写機）の概略構成ブロックを示す図である。
【図２】本発明の実施例が適用されるシステムの構成を示す図である。
【図３】第１の画像処理装置におけるファックス送信設定画面の一例を示す図である。
【図４】第１の画像処理装置におけるファックス送信詳細設定画面の一例を示す図である。
【図５】実施形態１における第１および第２の画像処理装置における処理のフロー図である。
【図６】実施形態２における第１および第２の画像処理装置における処理のフロー図である。
【図７】実施形態３における第１および第２の画像処理装置における処理のフロー図である。
【図８】実施形態４における第１および第２の画像処理装置における処理のフロー図である。
【発明を実施するための形態】
【００１２】
＜実施形態１＞
以下、図面を参照して詳細に説明する。
【００１３】
図１は、実施形態１における画像処理装置を適用したネットワークファクシミリシステムにおけるデジタル複合機（複写機）の構成を示すブロック図である。
【００１４】
このデジタル複写機は、電子写真方式等の方式で記録紙上に画像を形成する画像形成部１０１と、デジタル複写機を統御する制御部１０２を備える。またステイプル処理等の後処理を行うフィニッシャ１０３、原稿画像を読み取るスキャナ部１０４、および各種のデータやコマンドを入力する操作部１０５を備える。
【００１５】
更に、スキャンデータやファックスデータ等を受信するための複数の受信インタフェース部１０６も備える。また、スキャンデータやファックスデータ等を送信する送信手段である複数の送信インタフェース部１０７も備えている。
【００１６】
これら画像形成部１０１、フィニッシャ１０３、スキャナ部１０４、操作部１０５、受信手段である受信インタフェース部１０６および送信インタフェース部１０７は、それぞれ専用インタフェースにより制御部１０２と接続される。また制御部１０２は、その主要部として、中央処理装置（以下「ＣＰＵ」という）１０８と記憶装置（メモリ）１０９により構成される。記憶装置１０９には、後述する、図５、図６、図７および図８におけるそれぞれのフローチャートに対応する制御プログラムが格納される。また記憶装置１０９には、後述する図３および図４に示す送信設定のダイアログ・ボックスの制御プログラム、および操作画面情報を記述したコンテンツ等も格納される。
【００１７】
図２は、実施形態１が適用されるシステムを示す図である。
【００１８】
図２において、第１機器である第１の画像処理装置２０１は、ユーザが連携ジョブを実行する際、読み取り側機器として使用される。第１の画像処理装置２０１は、ネットワーク（ＬＡＮ）には接続されるが、公衆回線（ＰＳＴＮ）には接続されていない。また、ファクシミリ通信機能を有さない。第２機器である第２の画像処理装置２０２は、連携ジョブの送信側機器として使用される。第２の画像処理装置２０２は、ネットワーク及び公衆回線の両方に接続される。また、公衆回線を介して例えば、ＩＴＵ−Ｔ Ｔ．３０に従ったＧ３ファクシミリ通信を実行するためのファクシミリ通信機能を有す。
【００１９】
認証サーバ２０３は、後述するユーザ認証情報や送信設定通知を受信する受信手段、発信者番号を検索する発信者番号検索手段、サーバ回線を検索するサーバ回線検索手段、および検索した発信者番号やサーバ回線番号を送信する送信手段を含む。サーバ回線とは第２の画像処理装置２０２が接続している回線を示し、サーバ回線番号とは、この回線に割り当てられた電話番号を示す。ただし、第２の画像処理装置２０２はサーバ回線番号以外に複数の電話番号による着呼を受け付け可能であるとともに、この複数の電話番号のいずれかを発信元番号として発呼することができるものとする。この認証サーバ２０３は、画像処理装置を使用するユーザの認証を行う。
【００２０】
第１の画像処理装置２０１、第２の画像処理装置２０２および認証サーバ２０３は、それぞれネットワークを介して接続されている。また、公衆回線を通じてファクシミリ装置２０４が接続されており、第２の画像処理装置２０２は、公衆回線を介してファクシミリ装置２０４とファクシミリ通信を行う。なお、ここでは、ファクシミリ送信依頼を行う第１の画像処理装置２０１を１台のみ示しているが、これを複数台接続することも可能である。
【００２１】
図３は、第１の画像処理装置２０１における送信設定画面の一例を示す図である。図３において、操作部１０５に設けられたテンキーにより入力された、ファックス送信の宛先電話番号を表示する送信宛先表示領域３０１が示される。またユーザが押下することでファックス送信の詳細設定画面を呼び出し可能とする詳細設定ボタン３０２が示されている。
図４は、第１の画像処理装置２０１におけるファックス送信詳細設定画面の一例を示す図である。図４では、送信時の使用回線を指定する回線選択ボタン４０１が表示されている。ユーザは、ユーザに対して割り当てられた回線１及び回線２と、第２の画像処理装置２０２に割り当てられたサーバ回線とのいずれか１つを指定することが出来る。図５は、実施形態１における第１の画像処理装置および第２の画像処理装置における処理のフローチャートである。
【００２２】
ステップＳ５０１において、まず、第１の画像処理装置における制御部のＣＰＵ１０８は、操作部１０５からの入力に基づき、第２の画像処理装置でファックス送信を行う連携ジョブの生成指示を行い、連携相手先として第２の画像処理装置を設定する。ステップＳ５０２において、第１の画像処理装置における制御部のＣＰＵ１０８は、連携相手として設定された第２の画像処理装置に対し連携ジョブの開始を通知する。
【００２３】
ステップＳ５２１において、第２の画像処理装置の受信インタフェース部１０６では、ステップＳ５０２の連携ジョブ開始通知を受信すると、ＣＰＵ１０８は、連携ジョブモードへ移行し、第１の画像処理装置から送信される連携ジョブ受信の準備を行う。ステップＳ５０３において、続いて、第１の画像処理装置のＣＰＵ１０８は、操作部１０５からの入力に基づき連携ジョブに必要な送信設定を行う。ここで、ユーザは、自身が使用したい回線を図４の画面で選択する。
【００２４】
ステップＳ５０４において、第１の画像処理装置は、記憶装置１０９に記憶している発信者番号の中から、ユーザの選択操作に応じて選択された回線に対応するものを取得し、発信者番号を決定する決定手段を有する。ステップＳ５０５において、続いて、第１の画像処理装置のＣＰＵ１０８は、スキャナ部１０４から、連携ジョブの送信原稿を読み込む。
【００２５】
ステップＳ５０６において、第１の画像処理装置のＣＰＵ１０８は原稿読み込み後、第２の画像処理装置に対し送信インタフェース部１０７を介し、Ｓ５０３で設定した送信設定通知を送信する。この送信設定には、連携ジョブの送信宛先番号や、Ｓ５０４で取得した発信者番号が含まれている。ステップＳ５２２において、第２の画像処理装置のＣＰＵ１０８は、Ｓ５０６で第１の画像処理装置から通知された送信設定を、第２の画像処理装置の記憶装置１０９に保持する。
【００２６】
ステップＳ５２３において、そして第２の画像処理装置のＣＰＵ１０８は、受信した送信設定に含まれる、第１の画像処理装置から通知された発信者番号を、第２の画像処理装置が連携ジョブを実行に利用する際の、発信者番号として設定する。ステップＳ５０７において、第１の画像処理装置のＣＰＵ１０８は、Ｓ５０５で読み取った、連携ジョブの送信原稿の読み取り画像を、第２の画像処理装置に送信する。
【００２７】
ステップＳ５２４において、第２の画像処理装置の受信インタフェース部１０６は、Ｓ５０７で第１の画像処理装置からの連携ジョブの送信原稿画像送信を受信する。そして、第２の画像処理装置のＣＰＵ１０８は、Ｓ５２２で保持している送信設定に含まれた連携ジョブの送信宛先に対し、ファックス送信を行う。ここで、発信者番号は、ステップＳ５０３でユーザが選択した回線に対応するものとなる。即ち、ユーザが回線１または回線２を選択していた場合、発信者番号通知サービスにより通知される電話番号は、発呼を行う装置が第２の画像処理装置であっても当該装置に割り当てられたものではなくユーザに割り当てられた電話番号となる。また、ファクシミリ通信の手順信号であるＴＳＩ信号にもユーザに割り当てられた電話番号がセットされ、送信宛先に通知される。ステップＳ５２５において、Ｓ５２４におけるファックス送信が終了した後、第２の画像処理装置のＣＰＵ１０８は、第１の画像処理装置に対し、連携ジョブの終了を通知し、処理を終了する。第１の画像処理装置のＣＰＵ１０８は、Ｓ５２５における第２の画像処理装置からの終了通知を受け、処理を終了する。
【００２８】
＜実施形態２＞
第一の実施形態では、連携ジョブで用いる発信者番号は、第１の画像処理装置に登録されているものを利用していた。実施形態２において、画像処理装置を使用するユーザを認証する手段を設け、ユーザ認証情報に基づく発信者番号を、連携ジョブの発信者番号として使用すれば、ユーザの利便性を更に向上することができる。図６は、実施形態２における第１の画像処理装置および第２の画像処理装置における処理のフローチャート図である。
【００２９】
ステップＳ６０１において、第１の画像処理装置において、ＣＰＵ１０８は、操作部１０５からの入力に従い画像処理装置を使用するユーザ認証を行う。即ち、ユーザやユーザが所属するグループのＩＤ等を入力し、ユーザを特定する。ステップＳ６０２において、続いてＣＰＵ１０８は、第２の画像処理装置でファックス送信を行う連携ジョブを生成する指示を行い、連携相手先として第２の画像処理装置を設定する。
【００３０】
ステップＳ６０３において、ＣＰＵ１０８は、連携相手として設定された第２の画像処理装置に対し連携ジョブの開始を通知する。ステップＳ６２１において、第２の画像処理装置の受信インタフェース部１０６がＳ６０３の連携ジョブ開始通知を受信すると、ＣＰＵ１０８は連携ジョブモードへ移行し、第１の画像処理装置から送信される連携ジョブ受信の準備を行う。
【００３１】
ステップＳ６０４において、続いて、第１の画像処理装置のＣＰＵ１０８は、操作部１０５からの入力に従い、連携ジョブに必要な送信設定を行う。ステップＳ６０５において、第１の画像処理装置のＣＰＵ１０８は、認証サーバ２０３に対し、Ｓ６０１の認証情報を送信インタフェース部１０７から送信する。
【００３２】
ステップＳ６３１において、認証サーバ２０３は、Ｓ６０５で第１の画像処理装置から通知されたユーザ認証情報に基づき、認証サーバの記憶しているユーザ関連情報に基づき発信者番号の検索を行う。ステップＳ６３２において、認証サーバ２０３は、Ｓ６３１で得られた発信者番号を、第１の画像処理装置に対し送信する。
【００３３】
ステップＳ６０６において、続いて、第１の画像処理装置のＣＰＵ１０８は、Ｓ６３２において認証サーバから通知された発信者番号を取得する。ステップＳ６０７において、第１の画像処理装置のＣＰＵ１０８は、スキャナ部１０４から、連携ジョブの送信原稿を読み込む。
【００３４】
ステップＳ６０８において、第１の画像処理装置のＣＰＵ１０８は、Ｓ６０７での原稿読み込み後、第２の画像処理装置に対し、Ｓ６０４で設定した送信設定通知を送信する。この送信設定には、連携ジョブの送信宛先番号や、Ｓ６０６で取得した、ユーザに関連する発信者番号が含まれている。ステップＳ６２２において、第２の画像処理装置のＣＰＵ１０８は、Ｓ６０８で第１の画像処理装置から通知された送信設定を、第２の画像処理装置の記憶装置１０９に保持する。
【００３５】
ステップＳ６２３において、第２の画像処理装置のＣＰＵ１０８は、受信した送信設定に含まれる、第１の画像処理装置から通知された発信者番号を、第２の画像処理装置が連携ジョブを実行する際の、発信者番号として設定する。ステップＳ６０９において、第１の画像処理装置のＣＰＵ１０８は、Ｓ６０７で読み取った、連携ジョブの送信原稿の読み取り画像を、第２の画像処理装置に送信する。
【００３６】
ステップＳ６２４において、第２の画像処理装置の受信インタフェース部１０６は、Ｓ６０９での第１の画像処理装置からの連携ジョブの送信原稿画像送信を受信する。そして、ＣＰＵ１０８はＳ６２２で保持している送信設定に含まれた連携ジョブの送信宛先に対し、ファックス送信を行う。ここで、実施形態１と同様にユーザの発信者番号が送信宛先に通知される。ステップＳ６２５において、Ｓ６２４のファックス送信が終了した後、第２の画像処理装置のＣＰＵ１０８は第１の画像処理装置に対し、連携ジョブの終了を通知し、処理は終了する。
【００３７】
第１の画像処理装置のＣＰＵ１０８は、Ｓ６２５での第２の画像処理装置からの終了通知を受信し、処理は終了する。なお、本実施形態では、ユーザに関連する発信者番号は、第１の画像処理装置とネットワークで接続された認証サーバに保存されている形態として説明していた。しかし、これを第１の画像処理装置内または第２の画像処理装置内に実現しても良い。また、認証したユーザの発信者番号は、Ｓ６３２で認証サーバから第１の画像処理装置に送信したが、それに代えて、第２の画像処理装置に送信し、第２の画像処理装置がそれを用いて送信するようにしてもよい。
【００３８】
＜実施形態３＞
実施形態２では、ユーザ認証情報と関連して取得した発信者番号を、連携ジョブの発信者番号として利用していた。実施形態３では、これに加え、ユーザ認証と関連して連携ジョブを実行する際に利用するサーバ（第２の画像処理装置）の回線情報を取得し、送信時にこれを使用するようにすればユーザの利便性を更に向上できる。図７は、本実施例における第１の画像処理装置および第２の画像処理装置における処理のフローチャートである。
【００３９】
ステップＳ７０１において、まず、第１の画像処理装置のＣＰＵ１０８は、操作部１０５の入力に従い、上述のものと同様に画像処理装置を使用するユーザ認証を行う。ステップＳ７０２において、第１の画像処理装置のＣＰＵ１０８は、第２の画像処理装置でファックス送信を行う連携ジョブの生成指示を行い、連携相手先として第２の画像処理装置を設定する。
【００４０】
ステップＳ７０３において、第１の画像処理装置のＣＰＵ１０８は、連携相手として設定された第２の画像処理装置に対し、連携ジョブの開始を通知する。ステップＳ７２１において、第２の画像処理装置の受信インタフェース部１０６が、Ｓ７０３の連携ジョブ開始通知を受信すると、ＣＰＵ１０８は連携ジョブモードへ移行し、第１の画像処理装置から送信される連携ジョブ受信の準備を行う。
【００４１】
ステップＳ７０４において、続いて、第１の画像処理装置のＣＰＵ１０８は、操作部１０５の入力から、連携ジョブに必要な送信設定を行う。ステップＳ７０５において、第１の画像処理装置のＣＰＵ１０８は、送信インタフェース部１０７から認証サーバ２０３に対し、ステップＳ７０１で取得した認証情報を送信する。
【００４２】
ステップＳ７３１において、認証サーバ２０３は、Ｓ７０５で第１の画像処理装置から通知されたユーザ認証情報に基づき、認証サーバが記憶している発信者番号の中からユーザ関連情報に基づき発信者番号の検索を行う。ステップＳ７３２において、認証サーバ２０３は、ユーザ関連情報に基づきサーバ回線番号の検索を行う。なお、この検索は行わず、第２の画像処理装置に登録されているサーバ回線番号をそのまま用いるようにしてもよい。
【００４３】
ステップＳ７３３において、認証サーバ２０３は、Ｓ７３１、Ｓ７３２の検索で得られた発信者番号、サーバ回線番号を、第１の画像処理装置に対し送信する。ステップＳ７０６において、第１の画像処理装置のＣＰＵ１０８は、Ｓ７３３で認証サーバから通知された発信者番号を取得する。
【００４４】
ステップＳ７０７において、第１の画像処理装置のＣＰＵ１０８は、サーバ回線番号を取得し、スキャナ部１０４から、連携ジョブの送信原稿を読み込む。ステップＳ７０８において、第１の画像処理装置のＣＰＵ１０８は、Ｓ７０７での原稿読み込み後、第２の画像処理装置に対し、Ｓ７０４で設定した送信設定通知を送信する。この送信設定には、連携ジョブの送信宛先番号や、Ｓ７０６で取得した、ユーザに関連する発信者番号、サーバの回線番号が含まれている。
【００４５】
ステップＳ７２２において、第２の画像処理装置のＣＰＵ１０８は、Ｓ７０８で第１の画像処理装置から通知された送信設定を、第２の画像処理装置の記憶装置に保持する。ステップＳ７２３において、第２の画像処理装置のＣＰＵ１０８は、受信した送信設定に含まれる、第１の画像処理装置から通知されたサーバの回線番号を、第２の画像処理装置が連携ジョブを実行する際に利用する回線番号として設定する。ここで設定された回線番号が、発信者番号通知サービスで送信先に通知される発信者番号となる。
【００４６】
ステップＳ７２４において、第２の画像処理装置のＣＰＵ１０８は、同じく通知された発信者番号を、発信者番号として設定する。ここで設定された発信者番号が、ＴＳＩ信号にセットされる発信者番号となる。ステップＳ７０９において、第１の画像処理装置のＣＰＵ１０８は、Ｓ７０７で読み取った、連携ジョブの送信原稿の読み取り画像を、第２の画像処理装置に送信する。
【００４７】
ステップＳ７２５において、第２の画像処理装置のＣＰＵ１０８は、Ｓ７０９での、第１の画像処理装置からの連携ジョブの送信原稿画像送信を受信し、Ｓ７２２で保持している送信設定に含まれた連携ジョブの送信宛先に対し、ファックス送信を行う。ここで、上述のように設定されたそれぞれの発信者番号が送信宛先に通知される。ステップＳ７２６において、第２の画像処理装置のＣＰＵ１０８は、ファックス送信が終了した後、第１の画像処理装置に対し、連携ジョブの終了を通知し、処理は終了する。
【００４８】
第１の画像処理装置では、Ｓ７２６での第２の画像処理装置からの終了通知を受け、処理は終了する。なお、実施形態３では、ユーザに関連する発信者番号の他に、連携ジョブの送信時に利用するサーバの回線番号を取得し、利用する形態として説明した。これに加え、ユーザに関連するカバーページを認証サーバに記憶し、認証情報を元にこれを取得し、連携ジョブの送信時に、読み取った原稿と共に送信するようにすれば、ユーザの利便性は更に向上する。
【００４９】
＜実施形態４＞
実施形態１から３では、ユーザ認証情報と関連して取得した発信者番号を、連携ジョブの発信者番号として利用していた。実施形態４では、これに加え、連携ジョブの発信者番号としてサーバの回線番号以外の番号を用いる場合、サーバの物理回線番号情報を通知しないようにして、ユーザの利便性を更に向上させる。図８は、実施形態４における第１の画像処理装置および第２の画像処理装置における処理のフローチャートである。
【００５０】
ステップＳ８０１において、まず、第１の画像処理装置のＣＰＵ１０８は、操作部１０５の入力に従い、上述のものと同様に画像処理装置を使用するユーザ認証を行う。ステップＳ８０２において、第１の画像処理装置のＣＰＵ１０８は、第２の画像処理装置でファックス送信を行う連携ジョブの生成指示を行い、連携相手先として第２の画像処理装置を設定する。
【００５１】
ステップＳ８０３において、第１の画像処理装置のＣＰＵ１０８は、連携相手として設定された第２の画像処理装置に対し、連携ジョブの開始を通知する。ステップＳ８２１において、第２の画像処理装置の受信インタフェース部１０６が、Ｓ８０３の連携ジョブ開始通知を受信すると、ＣＰＵ１０８は連携ジョブモードへ移行し、第１の画像処理装置から送信される連携ジョブ受信の準備を行う。
【００５２】
ステップＳ８０４において、続いて、第１の画像処理装置のＣＰＵ１０８は、操作部１０５の入力から、連携ジョブに必要な送信設定を行う。ステップＳ８０５において、第１の画像処理装置のＣＰＵ１０８は、送信インタフェース部１０７から認証サーバ２０３に対し、ステップＳ８０１の認証情報を送信する。
【００５３】
ステップＳ８３１において、認証サーバ２０３は、Ｓ８０５で第１の画像処理装置から通知されたユーザ認証情報に基づき、認証サーバが記憶している発信者番号の中からユーザ関連情報に基づき発信者番号を検索する。ステップＳ８３２において、認証サーバ２０３は、ユーザ関連情報に基づくサーバ回線番号を検索する。なお、この検索は行わず、第２の画像処理装置に登録されているサーバ回線番号をそのまま用いるようにしてもよい。
【００５４】
ステップＳ８３３において、認証サーバ２０３は、Ｓ８３１、Ｓ８３２の検索で得られた発信者番号、サーバ回線番号を、第１の画像処理装置に対し送信する。ステップＳ８０６において、第１の画像処理装置のＣＰＵ１０８は、Ｓ８３３で認証サーバから通知された発信者番号を取得する。
【００５５】
ステップＳ８０７において、第１の画像処理装置のＣＰＵ１０８は、スキャナ部１０４から、連携ジョブの送信原稿を読み込む。ステップＳ８０８において、Ｓ８０７での原稿読み込み後、第１の画像処理装置のＣＰＵ１０８は、第２の画像処理装置に対し、Ｓ８０４で設定した送信設定通知を送信する。この送信設定には、連携ジョブの送信宛先番号や、Ｓ８０６で取得した、ユーザに関連する発信者番号が含まれている。
【００５６】
ステップＳ８２２において、第２の画像処理装置のＣＰＵ１０８は、Ｓ８０８で第１の画像処理装置から通知された送信設定を、第２の画像処理装置の記憶装置１０９に保持する。ステップＳ８２３において、第２の画像処理装置のＣＰＵ１０８は、Ｓ８２２で保持している、第１の画像処理装置から通知された送信設定に、発信者番号が含まれているか否か判定する。Ｓ８２３の判定がＮｏの場合、発信者番号を設定せずにＳ８２６へ移行する。
【００５７】
ステップＳ８２４において、第２の画像処理装置のＣＰＵ１０８は、Ｓ８２３の判定がＹｅｓ（発信者番号が含まれている）であれば、第１の画像処理装置から通知された送信設定を、連携ジョブを実行する際の発信者番号として設定する。ステップＳ８２５において、第２の画像処理装置のＣＰＵ１０８は、Ｓ８０８で受信したサーバの物理回線情報を、連携ジョブを実行する際に非通知（通知しないよう）に設定する。
【００５８】
ステップＳ８０９において、第１の画像処理装置のＣＰＵ１０８は、Ｓ８０７で読み取った、連携ジョブの送信原稿の読み取り画像を、第２の画像処理装置に送信する。ステップＳ８２６において、第２の画像処理装置の受信インタフェース部１０６は、Ｓ８０９での、第１の画像処理装置からの連携ジョブの送信原稿画像送信を受信する。そして、ＣＰＵ１０８は、Ｓ８２２で保持している送信設定に含まれた連携ジョブの送信宛先に対し、ファックス送信を行う。ここでは、ユーザに関連する発信者情報がＴＳＩ信号にセットされ、送信宛先に通知されるが、発信者番号通知サービスでは非通知として発呼される。
【００５９】
ステップＳ８２７において、第２の画像処理装置のＣＰＵ１０８は、Ｓ８２６のファックス送信が終了した後、第１の画像処理装置に対し、連携ジョブの終了を通知し、処理は終了する。第１の画像処理装置では、Ｓ８２７での第２の画像処理装置からの終了通知を受け、処理は終了する。
【００６０】
以上のような実施形態によれば、ユーザが操作する装置固有に割り当てられた発信者番号ではなく、ユーザ個人（またはユーザが所属するグループ）に割り当てられた発信者番号をファクシミリの送信先に通知できる。また、ユーザはネットワーク上の種々の装置からファクシミリ送信を依頼でき、その際にも自身に割り当てられた発信者番号を通知できる。
【図１】
2010219957.tif 000003
【図２】
2010219957.tif 000004
【図３】
2010219957.tif 000005
【図４】
2010219957.tif 000006
【図５】
2010219957.tif 000007
【図６】
2010219957.tif 000008
【図７】
2010219957.tif 000009
【図８】
2010219957.tif 000010